(57)【要約】      （修正有）【課題】皮下埋め込み及び無菌埋め込み式ダイエットの注射器構成を提供する。【解決手段】注射器１は、針先１１と、針管１２と、押子部材１３と、ガットと、保護キャップ１０とを備える。針先１１は使用者が手に持つために使用され、針管１２は針先の前端に結合され、中央箇所には貫通部１２０及び前端に先端部１２１が設けられる金属針管を有する。押子部材１３は針先の後端から針管内に穿入され、且つ把持部１３０の前端からは延伸されて棒体１３１が形成される。ガットは人体に吸収される細い糸であり、適当な長さに切られて針管の前端の貫通部から貫入される。蓋体は針管の前端から針先の間まで被嵌させて、針管及びガットを保護させる。これにより、使用前に糸が通されて消毒が行われて保存されることで、使い捨て注射器が形成され、使用者にとって便利になる。【選択図】図１
0003203786.tif 000002
【実用新案登録請求の範囲】
【請求項１】
使用者が手で持つための針先と、
針先の前端に結合され、中央箇所には貫通部及び前端に先端部が設けられる金属針管を有する針管と、
針先の後端から針管内に穿入され、且つ把持部の前端からは延伸されて棒体が形成される押子部材と、
人体に吸収される細い糸であり、適当な長さに切られて針管の前端の貫通部から貫入されるガットと、
針管の前端から針先の間まで被嵌させて、針管及びガットを保護させる保護キャップとを備えることを特徴とする皮下埋め込み及び無菌埋め込み式ダイエットの注射器構成。
【請求項２】
前記ガットは０．８センチメートルから１センチメートルを一単位として、針管の貫通部の前端に穿入されて実施されることを特徴とする、請求項１に記載の皮下埋め込み及び無菌埋め込み式ダイエットの注射器構成。
【請求項３】
前記注射器はガット、押子部材及び蓋体で構成され、且つ７０％〜７５％のアルコールが噴射されて無菌状態で保存されて実施されることを特徴とする、請求項１に記載の皮下埋め込み及び無菌埋め込み式ダイエットの注射器構成。
【考案の詳細な説明】
【技術分野】
【０００１】
本考案は、皮下埋め込み及び無菌埋め込み式ダイエットの注射器構成に関し、更に詳しくは、前記注射器の針管にガット及び押子部材が内設され、且つアルコールが噴射され、注射器全体が無菌状態で保存され、より安全で無菌の注射器構造に関する。
【背景技術】
【０００２】
美しい体形を求める世代が、ダイエットにより体形を維持して体内の代謝を改善させるのは、健康的なダイエット法とは言えなかった。
【先行技術文献】
【特許文献】
【０００３】
【特許文献１】台湾実用新案第Ｍ４１８６９２号明細書
【考案の概要】
【考案が解決しようとする課題】
【０００４】
しかしながら、ダイエットには様々な方式がある。一つは運動及び食事制限による方式であり、他の一つはダイエット薬による方式であるが、ダイエット薬は効果もあるが、肉体的な負担が大きい。また他の一つとしてガットを埋入させる方式がある。ガットは人体に自動的に吸収される医療用の糸であり、ガットを正確なツボの位置に埋入させることで食欲や空腹感を有効的に抑制させ、徐々に体重を減らしてゆく目的を達成させる。
【０００５】
従来の埋設用注射器は、例えば、特許文献１に記載されている鍼灸用針は、前記針管の外には固定部材が覆設され、ガットの一端は貫通部から針管中に穿入され、他端は固定部材を穿通させて固持され、針管が使用者のツボの位置に刺し込まれ、前記ガットが固定部材から脱離されて、針管及びガットが共にツボ内に刺し込まれ、反対方向に引き出されて前記ガットが体内に残留され、ガットが持続的にツボを刺激し、人体の新陳代謝を加速させ、埋め込みダイエットの目的を達成させる。
【０００６】
また、前述の針管間に固定部材が設置されてガットを固持させる方式は、使用されるガットが長いため、効果が低下する上に吸収されにくくなる。また、ガットを有する注射器は事前の準備工程が煩雑であり、ガットが外に露出されると細菌が繁殖してしまう。
【０００７】
そこで、本考案者は上記の欠点が改善可能と考え、即ち、注射器及びガットを高速に装填でき、且つ同時に殺菌状態を保持させるため、鋭意検討を重ねた結果、合理的かつ効果的に課題を改善する本考案の提案に到った。
【０００８】
本考案は、このような従来の問題に鑑みてなされたものである。即ち、上記課題解決のため、本考案は、皮下埋め込み及び無菌埋め込み式ダイエットの注射器構成を提供することを主目的とする。
【課題を解決するための手段】
【０００９】
上述した課題を解決し、目的を達成するために、本考案に係る皮下埋め込み及び無菌埋め込み式ダイエットの注射器構成は、主に前述の無菌ガットが注射器に装填されて保存され、前記注射器は針先と、針管と、押子部材と、ガットと、蓋体とを備える。前記針先は使用者が手で持つために使用され、前記針管は針先の前端に結合され、中央箇所には貫通部及び前端に先端部が設けられる金属針管を有し、前記押子部材は針先の後端から針管内に穿入され、且つ把持部の前端からは延伸されて棒体が形成される。前記ガットは人体に吸収される細い糸であり、適当な長さに切られて針管の前端の貫通部から貫入され、前記蓋体は針管の前端から針先の間まで被嵌させて、針管及びガットを保護させる。
【００１０】
請求項２に記載の皮下埋め込み及び無菌埋め込み式ダイエットの注射器構成は請求項１において、前記ガットは０．８センチメートルから１センチメートルを一単位として、針管の貫通部の前端に穿入されて実施される。
【００１１】
請求項３に記載の皮下埋め込み及び無菌埋め込み式ダイエットの注射器構成は請求項１において、前記注射器はガット、押子部材及び蓋体で構成され、且つ７０％〜７５％のアルコールが噴射されて無菌状態で保存されて実施される。
【考案の効果】
【００１２】
本考案によれば、ガットが装填される注射器が無菌状態で保存され、且つ高速に使用可能になる使い捨て注射器が得られる。
【図面の簡単な説明】
【００１３】
【図１】本考案の第１実施形態に係る皮下埋め込み及び無菌埋め込み式ダイエットの注射器構成を示す外観斜視図である。
【図２】本考案の第１実施形態に係る皮下埋め込み及び無菌埋め込み式ダイエットの注射器構成を示す展開図である。
【図３】本考案の第１実施形態に係る皮下埋め込み及び無菌埋め込み式ダイエットの注射器構成のガットが針管に埋め込まれた概念図である。
【図４】本考案の第１実施形態に係る皮下埋め込み及び無菌埋め込み式ダイエットの注射器構成を示す組み立ての概念図である。
【図５】本考案の第１実施形態に係る皮下埋め込み及び無菌埋め込み式ダイエットの注射器構成を無菌でスプレイする概念図である。
【図６】本考案の第１実施形態に係る皮下埋め込み及び無菌埋め込み式ダイエットの注射器構成のガットが皮下に埋め込まれた概念図である。
【図７】本考案の第１実施形態に係る皮下埋め込み及び無菌埋め込み式ダイエットの注射器構成のガットが皮下に埋め込まれた概念図である。
【考案を実施するための形態】
【００１４】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１５】
（第１実施形態）
本考案の注射器１は、針先１１と、針管１２と、押子部材１３と、ガット１４と、保護キャップ１０とを備える（図１及び図２参照）。前記針先１１は使用者が手で持つために使用され、且つ前端には針管１２が設置される。前記針管１２は針先１１の前端に結合され、中央箇所には貫通部１２０及び前端に先端部１２１が設けられる金属針管を有し、貫通部１２０の前端の先端部１２１箇所の開口部にはガット１４が穿入されて設置される。前記押子部材１３は把持部１３０及び棒体１３１を有し、棒体１３１の一端は当接部１３２であり、且つ針先１１の後端から針管１２内に穿入される。前記ガット１４は人体に吸収される細い糸であり、適当な長さに切られて針管１２の前端の貫通部１２０から貫入される。前記保護キャップ１０は針管１２の前端から針先１１の間まで被嵌させて、針管１２及びガット１４を保護させ、針が誤って刺されないようにすると共に空気に接触されて汚染されるのを防止させ、さらにダイエットの目的を達成させる。
【００１６】
図３から図５は本考案の第１実施形態に係る皮下埋め込み及び無菌埋め込み式ダイエットの注射器構成のガットが針管に埋め込まれた概念図である。図から分かるように、前記針先１１は一端に針管１２が設置され、前記針管１２の中心部には貫通部１２０を有する。使用者がガット１４を埋め込む場合、挟持器２を使用して保存装置内から一単位分に切断されたガット１４を取り出し、且つ針管１２の先端部１２１を貫通部１２０の前端箇所に穿入させ、その後押子部材１３を針先１１の後端から針管１２の貫通部１２０中に穿入させて保存させ、且つ保護キャップ１０により針管１２から針先１１の間まで被嵌させて固装させる。
【００１７】
また、ガット１４が設置される複数の注射器１がグローブボックス４に静置され、スプレー器５により複数の注射器１に対して濃度７０％〜７５％のアルコールが噴射され、アルコールにより注射器１が完全に覆われ、注射器１が消毒されて一定時間保存される。
【００１８】
さらに、図６及び図７は本考案の第１実施形態に係る皮下埋め込み及び無菌埋め込み式ダイエットの注射器構成のガットが皮下に埋め込まれた概念図である。図から分かるように、前記注射器１は針管１２の前端に先端部１２１が形成され、前記注射器１は針管１２の先端部１２１が皮下層３まで刺し込まれた後、針先１１が反対方向に向けて引かれ、同時に押子部材１３が針管１２の前端方向に向けて押され、ガット１４が皮下層３内まで押し込まれ、同時に注射器１及び押子部材１３が皮下層３から引き離され、ガット１４が皮下層中に残留される。これにより、高速且つ便利に埋め込み注射器が構成されて簡単に使用できる。
【００１９】
以上、本考案の実施形態について図面を参照して詳述したが、具体的な構成はこの実施形態に限られるものではなく、本考案の要旨を逸脱しない範囲の設計変更等も含まれる。
【符号の説明】
【００２０】
１      注射器
１０    保護キャップ
１１    針先
１２    針管
１２０  貫通部
１２１  先端部
１３    押子部材
１３０  把持部
１３１  棒体
１３２  当接部
１４    ガット
２      挟持器
３      皮下層
４      グローブボックス
５      スプレー器
【図１】
0003203786.tif 000003
【図２】
0003203786.tif 000004
【図３】
0003203786.tif 000005
【図４】
0003203786.tif 000006
【図５】
0003203786.tif 000007
【図６】
0003203786.tif 000008
【図７】
0003203786.tif 000009